(57)【要約】      （修正有）【課題】ネイルアートスティックの先端の粘着力を長期間持続させ、細かな作業を円滑に安定して行えるとともに、ネイルアートスティックの先端部分にも、機能性や使いやすさを備える。【解決手段】ネイルアートスティック本体１の先端に、脱着可能に長期間持続可能な粘着力のある蜜蝋（ビーズワックス）２を設ける。この蜜蝋の固体を３４℃から３８℃の温度で温め変形させる。蜜蝋２は、大きさも自由自在に作業がしやすいように変形可能である。蜜蝋２の働きにより、ネイルアートに用いる吸着作業が円滑で安定性がありアートの完成度が高くなる。ネイルアートスティック本体４の先端には、用途を重視し蜜蝋２を外した際にドットアートができるよう、円球状の丸みを設けた。【選択図】図１
2011193977.tif 000002
【特許請求の範囲】
【請求項１】
ミツバチが巣の中で分泌する純粋な蜜蝋（ビーズワックス）の固体を３４℃から３８℃の温度で温め変形させた粘着材を先端部分に脱着可能に設けたことを特徴とするネイルアートスティック。
【請求項２】
前記先端部分には、丸みが設けられていること特徴とする請求項１記載のネイルアートスティック。
【発明の詳細な説明】
【技術分野】
【０００１】
本発明は、ネイルアートをする際に小さいラインストーン等を吸着させ、爪の上に乗せる作業時に用いるネイルアートスティックに関する。
【背景技術】
【０００２】
従来のネイルアートの細かな作業時に用いるネイルアートスティックの形状は、図３に示すように、ネイルアートスティックの本体８の先端にスポンジ９が設けられたものである。または、一般的な方法として、一時的に木製スティック１１の先端に糊に当たるトップコート１０を付けて作業する方法やピンセット１２が主流だった。また、ネイルアートスティック先端の形状は単純な直線的なものであった。
【発明の開示】
【発明が解決しようとする課題】
【０００３】
しかしながら、以上の技術によれば、スポンジの粘着力は極めて弱く、永久性もなく、数回の使用のみで機能がなくなってしまい不便だった。糊（トップコート）を付ける場合も、粘着力に永久性や安定性はなく、ラインストーン等が途中で何度も落下してしまい作業は安定せず捗らなかった。また、ピンセットでラインストーン等を挟んで取る作業も円球状で最小な粒を取ることは難しく、一粒ずつしか取れないので時間がかかってしまい実用性に欠けていた。また、以上の技術は、ネイルアートの材料において、大きさや重量があるもの、丸いものの吸着作業には不向きだった。先端の機能性も考慮されていなく不便だった。
【０００４】
本発明は、ネイルアートスティックの先端の粘着力を長期間持続させ、ネイルアートの細かな作業を円滑に安定して行えるネイルアートスティックを提供することを課題とする。また、ネイルアートスティックの先端部分にも、機能性や使いやすさを重視する。
【課題を解決するための手段】
【０００５】
以上の課題を解決するために、第一発明は、ネイルアートスティックの先端部分に、ミツバチが巣の中で分泌する蜜蝋（ビーズワックス）の固体を34℃から38℃の温度で温め変形させた粘着材を脱着可能に設けたことを特徴とするネイルアートスティックである。さらに、第二発明は、ネイルアートスティック本体４の機能性を考慮し、先端部分に角度をつけ細くして、さらに小さなラインストーンの吸着作業の利便性や、取り外し可能な蜜蝋（ビーズワックス）２を外した際に、ドットアート（水玉模様）ができるように先端を細くし円球状の丸みを設けたことを特徴とするネイルアートスティックである。
【発明の効果】
【０００６】
第一発明、または第二発明によれば、スティックの先端部分に長期間持続可能な粘着材を設けたので細かな吸着作業が円滑に進みネイルアートがしやすい。特にネイルアートの場合、ラインストーン等を吸着させ、爪に乗せるという繰り返し作業をいかにすばやく何度も行うかが重要であるため、本発明は高い安定した効果を長期間発揮する。さらに、先端の蜜蝋（ビーズワックス）２は、３４℃から３８℃の温度の熱を加えることによって、形状や大きさを自由自在に変えることができる。
第二発明によれば、スティック本体４の先端が円球状の丸み５を帯びているので、蜜蝋（ビーズワックス）２を外すと水玉模様が簡単に作れるドッドアート用スティックとしても活用できる。また、先端が細く角度がついているため、細かなアートがやりやすくなり実用性が高い。
【発明を実施するための最良の形態】
【０００７】
この発明の一実施形態を、図１に示す。
ネイルアートスティックの本体１はプラスティックであり、この本体１の先端には、長期間持続可能な、例えば半永久的粘着力のあるミツバチが巣の中で分泌する蜜蝋（ビーズワックス）２が一体的に設けられている。蜜蝋（ビーズワックス）２は、元々の固体７を３４℃から３８℃の温度で温めて変形されるので、形状や大きさを自由自在に変えることができる。その一例として、蜜蝋（ビーズワックス）の固体７を人間の指の体温で温めながら揉んで変形させる方法が好ましい。蜜蝋（ビーズワックス）２は、スティック本体１、または本体４から脱着可能であるため、34℃から38℃の温度で温めることで、例えば人間の指の体温で温めながら揉むことによって、何度も繰り返し粘着力を復活させることができる。また、蜜蝋（ビーズワックス）は、古代エジプト人はキャンドルやクリームの原料として使用していた。日本では化粧品類に含まれて市販されている。米国等ではキャンドルとして使用されることもあり市販もされている。ネイルアートスティック本体４の本体はプラスティックであり、この本体４の先端は鉄である。蜜蝋（ビーズワックス）２を取り外した場合に、ドット（水玉模様）アート用にも活用できるように円球状に丸み５が設けられている。
【０００８】
「実施形態の効果」
この実施形態によれば、半円球状の蜜蝋（ビーズワックス）２の働きで、小さく軽いものや丸くて吸着しにくいもの、例えば最小のラインストーンや円球状のパール等を、吸着させる粘着力があり取りやすい。さらに、ラインストーン等を数粒ずつまとめて取ることが可能であるため作業時間の短縮になる。また、適度な粘着力なので蜜蝋（ビーズワックス）２に吸着させた後も途中で落下することなく爪まで運べるので繰り返し作業であるネイルアートがしやすい。この蜜蝋（ビーズワックス）２の粘着性は吸着に極めて適している。蜜蝋（ビーズワックス）としては、ミツバチから分泌される加工されていない１００％純粋な蜜蝋（ビーズワックス）が好ましい。蜜蝋（ビーズワックス）の固体７を３４℃から３８℃の温度で温め変形させることによって、ネイルアートスティック本体１、または本体４の先端に簡単に取り付け可能であり、必要に応じて形状や大きさを自由に変えることができる。本体４は、先端の蜜蝋（ビーズワックス）２を取り外した際に、ドットアート用スティックとしても活用できる。
【０００９】
「他の実施形態」
図１の実施形態では、蜜蝋（ビーズワックス）２は半円球状であったが、他の実施形態では、本体４の先端の様にアートの細かさや用途によって蜜蝋（ビーズワックス）２は形状や大きさを自由に変えることができる。
【図面の簡単な説明】
【００１０】
【図１】（Ａ）は、この発明の一実施形態を示す正面図である。（Ｂ）は、この発明の一実施形態を示す側面図である。（Ｃ）は、一実施形態を示す正面図である。（Ｄ）は、（Ｃ）の先端部分の拡大図である。
【図２】蜜蝋（ビーズワックス）を３４℃から３８℃の温度で温めて変形させている一例である。
【図３】（Ａ）は技術従来技術である先端がスポンジのネイルアートスティックの         正面図である。（Ｂ）は技術従来技術であるトップコートを示す正面図である。（Ｃ）は技術従来技術であるピンセットを示す正面図である。
【符号の説明】
【００１１】
１  ネイルアートスティック本体
２  蜜蝋（ビーズワックス）
３  ネイルアートスティック本体側面
４  ネイルアートスティック本体側面
５  ドッドアート用の丸み
６  手
７  １００％純粋なビーズワックスの固体
８  従来のネイルアートスティック本体
９  スポンジ
１０  トップコート（接着剤糊）
１１  木製スティック
１２  ピンセット
【図１】
2011193977.tif 000003
【図２】
2011193977.tif 000004
【図３】
2011193977.tif 000005